(57)【特許請求の範囲】
【請求項１】
所定の温度および所定のオゾン濃度のオゾン水を用いて、消毒対象物を所定の処理時間に亘って消毒するオゾン水消毒機であって、
消毒処理の動作モードとして、少なくとも第１動作モードおよび第２動作モードを備え、
前記第１動作モードおよび前記第２動作モードは、前記オゾン濃度および前記処理時間のうち、少なくとも一方が異なり、
予め設定されている前記動作モードあるいは外部入力によって選択される前記動作モードを実行して消毒処理を行い、
前記第１動作モードでは、前記オゾン濃度および前記処理時間が、結核菌を消毒可能な第１オゾン濃度および第１処理時間の組み合わせからなり、
前記第２動作モードでは、前記オゾン濃度が前記第１オゾン濃度と同一の第２オゾン濃度であり、前記処理時間が前記第１処理時間よりも短い第２処理時間であることを特徴とするオゾン水消毒機。
【請求項２】
前記第１動作モードでは前記オゾン水の前記温度を第１設定温度以下に制御し、
前記第２動作モードでは前記オゾン水の前記温度を、前記第１設定温度と同一あるいは異なる第２設定温度以下に制御する請求項１に記載のオゾン水消毒機。
【請求項３】
前記第１動作モードでは、前記第１オゾン濃度が３ｐｐｍ、前記第１処理時間が５分であり、
前記第２動作モードでは、前記第２オゾン濃度が３ｐｐｍ、前記第２処理時間が１分であり、
前記第１設定温度および前記第２設定温度は、２０℃である請求項２に記載のオゾン水消毒機。
【請求項４】
前記動作モードとして、さらに、第３動作モードを備え、
前記第３動作モードでは、前記オゾン濃度が前記第１オゾン濃度よりも低い第３オゾン濃度であり、前記処理時間が前記第２処理時間よりも長い第３処理時間である請求項１に記載のオゾン水消毒機。
【請求項５】
前記第３動作モードでは前記オゾン水の温度制御が行われない請求項４に記載のオゾン水消毒機。
【請求項６】
所定の温度および所定のオゾン濃度のオゾン水を用いて、消毒対象物を所定の処理時間に亘って消毒するオゾン水消毒機であって、
消毒処理の動作モードとして、少なくとも第１動作モードおよび第２動作モードを備え、
前記第１動作モードおよび前記第２動作モードは、前記オゾン濃度および前記処理時間のうち、少なくとも一方が異なり、
予め設定されている前記動作モードあるいは外部入力によって選択される前記動作モードを実行して消毒処理を行い、
前記動作モードとして、前記第１動作モードおよび前記第２動作モードに加え、第３動作モードを備えており、
前記第１動作モードは、前記オゾン濃度および前記処理時間が、結核菌を消毒可能な第１オゾン濃度および第１処理時間の組み合わせからなり、前記温度が第１設定温度以下の高水準消毒モードであり、
前記第２動作モードは、前記オゾン濃度が前記第１オゾン濃度と同一の第２オゾン濃度、前記処理時間が前記第１処理時間よりも短い第２処理時間であり、前記温度が第２設定温度以下のクイック消毒モードであり、
前記第３動作モードは、前記オゾン濃度が前記第１オゾン濃度よりも低い第３オゾン濃度、前記処理時間が前記第２処理時間よりも長い第３処理時間であり、前記オゾン水の温度制御が行われない標準消毒モードであることを特徴とするオゾン水消毒機。
【請求項７】
前記高水準消毒モードでは、前記第１オゾン濃度が３ｐｐｍ、前記第１処理時間が５分、前記第１設定温度が２０℃であり、
前記クイック消毒モードでは、前記第２オゾン濃度が３ｐｐｍ、前記第２処理時間が５０秒、前記第２設定温度が２０℃であり、
前記標準消毒モードでは、前記第３オゾン濃度が０．５ｐｐｍ、前記第３処理時間が５分である請求項６に記載のオゾン水消毒機。
【発明の詳細な説明】
【技術分野】
【０００１】
本発明は、オゾン水を用いて消毒槽に入れた消毒対象物の消毒処理を行うオゾン水消毒機に関する。更に詳しくは、結核菌等で汚染された医療機器類を消毒することのできるオゾン水消毒機に関する。
【背景技術】
【０００２】
オゾン水消毒機としては、特許文献１に開示されているように、内視鏡を消毒する内視鏡殺菌装置が知られている。内視鏡殺菌装置では、殺菌槽（消毒槽）内に水道水を原水として供給し、殺菌槽に溜めた原水にオゾンガスを注入して、殺菌槽内においてオゾン水を生成している。オゾン水のオゾン濃度が所定濃度に達した後は、殺菌槽内においてオゾン水を循環させながら殺菌槽内に配置した殺菌対象の内視鏡をオゾン水で殺菌処理している。殺菌処理後は殺菌槽内のオゾン水を、オゾン分解器を通してオゾンを除去した後に排出している。
【先行技術文献】
【特許文献】
【０００３】
【特許文献１】特開２０１４−３３７９４号公報
【発明の概要】
【発明が解決しようとする課題】
【０００４】
従来における内視鏡殺菌装置等のオゾン水消毒機においては、一般的に、オゾン濃度を０．５ｐｐｍ程度の一定濃度に維持した状態で、５分間程度の一定の処理時間で消毒処理を行っている。また、オゾン水生成用の原水として水道水が用いられている。
【０００５】
内視鏡等の医療機器類の消毒においては、高水準消毒と呼ばれる結核菌を死滅させることのできる高い消毒効果が要求される場合がある。しかしながら、高水準消毒に対応できる高濃度のオゾン水を用いたオゾン水消毒機は提案されていない。
【０００６】
ここで、オゾン水消毒機において使用するオゾン水のオゾン濃度を高めるためには、原水に対するオゾンガスの注入時間を長くする必要がある。特に、原水の温度が高い場合には、オゾンの溶解率が低下するので、所望のオゾン濃度が得られるまでに長時間を要する。例えば、夏場には原水として使用している水道水の温度が高いので、オゾンの溶解速度が低下し、オゾン濃度を上げるために長時間を要する。この結果、１回の消毒処理のための所要時間が長くなり、作業効率が大幅に低下する。
【０００７】
また、病院等においては、オゾン水消毒機による消毒処理のための処理時間を確保するために、内視鏡等の医療器具類を繰り返して使用する際に、消毒処理が間に合わずに、支障をきたすことがある。このため、処理時間の短縮化に対する要求が強い。しかしながら、従来のオゾン水消毒機では、上記のように、一定のオゾン濃度のオゾン水を用いて一定の処理時間に亘って内視鏡等の消毒処理を行うように構成されており、処理時間の短縮化の要求に応えることができない。
【０００８】
本発明の課題は、このような点に鑑みて、必要に応じて、結核菌の消毒に対応可能な高水準消毒、処理時間の短い消毒など、各種の形態で消毒処理を行うことのできるオゾン水消毒機を提供することにある。
【課題を解決するための手段】
【０００９】
上記の課題を解決するために、本発明は、所定の温度および所定のオゾン濃度のオゾン水を用いて、消毒対象物を所定の処理時間に亘って消毒するオゾン水消毒機において、消毒処理の動作モードとして、少なくとも第１動作モードおよび第２動作モードを備えている。前記第１動作モードおよび前記第２動作モードは、前記オゾン濃度および前記処理時間のうち、少なくとも一方が異なる。また、予め設定されている前記動作モードあるいは外部入力によって選択される前記動作モードを実行して消毒処理を行う。
【００１０】
本発明のオゾン水消毒機は複数の動作モードのうちの一つを選択して、消毒対象物の消毒処理を行うことができる。動作モードとしてオゾン濃度の高いオゾン水を用いた動作モード、オゾン濃度の低いオゾン水を用いた処理時間の長い動作モード等を用意しておくことにより、ユーザーに適した動作モードによる消毒処理を行うことができる。
【００１１】
また、本発明のオゾン水消毒機は、結核菌を消毒可能な高水準消毒および処理時間の短い消毒を行うことができるようにするために、前記第１動作モードを、前記オゾン濃度および前記処理時間が、結核菌を消毒可能な第１オゾン濃度および第１処理時間の組み合わせからなる動作モードとし、前記第２動作モードを、前記オゾン濃度が前記第１オゾン濃度と同一の第２オゾン濃度、前記処理時間が前記第１処理時間よりも短い第２処理時間の動作モードとする。
【００１２】
高濃度のオゾン水を用いることにより高水準消毒を実現できる。また、通常の消毒の場合には濃度の高いオゾン水を用いることにより、処理時間を短縮でき、作業効率を高めることができる。
【００１３】
高濃度のオゾン水を用いる場合には、前記第１動作モードおよび前記第２動作モードのそれぞれの前記温度は、予め設定した設定温度以下の値であることが望ましい。
【００１４】
オゾン水消毒機では、オゾン水生成用の原水として、一般に外部から供給される水道水を用いており、水道水にオゾンガスを注入して所定濃度のオゾン水を生成して消毒に用いている。水道水温度が高い場合には高濃度のオゾン水を生成するために長時間を要する。オゾン水の温度、したがって原水の温度を設定温度以下に下げることにより、高濃度のオゾン水を、短時間で生成できる。これにより、高濃度のオゾン水を使用するための所要時間に起因して、作業効率が低下することを抑制できる。
【００１５】
また、内視鏡等を高温のオゾン水に晒すと、その材料劣化が生じるおそれがある。オゾン水温度を下げることにより、このような材料劣化も抑制できる。
【００１６】
本発明において、前記第１動作モードでは、前記第１オゾン濃度が３ｐｐｍ、前記第１処理時間が５分であり、前記第２動作モードでは、前記第２オゾン濃度が３ｐｐｍ、前記第２処理時間が１分であり、双方の動作モードの前記設定温度が２０℃であることが望ましい。
【００１７】
オゾン水による消毒効果は、オゾン濃度と処理時間の積に対応する。第１動作モードにおける第１オゾン濃度と処理時間の組み合わせによれば、結核菌を消毒可能な高水準消毒を実現できる。また、第２動作モードによれば、処理時間の短いクイック消毒を実現できる。
【００１８】
ここで、前記動作モードとして、さらに別の第３動作モードを含めることもできる。この場合の前記第３動作モードでは、前記オゾン濃度が前記第１オゾン濃度よりも低い第３オゾン濃度、前記処理時間が前記第２処理時間よりも長い第３処理時間とすることができる。
【００１９】
この第３動作モードでは、第１、第２動作モードに比べて低濃度のオゾン水を使用しているので、その温度調整を省略することが可能である。
【００２０】
本発明による典型的なオゾン水消毒機は、所定の温度および所定のオゾン濃度のオゾン水を用いて、消毒対象物を所定の処理時間に亘って消毒するオゾン水消毒機において、消毒処理の動作モードとして、少なくとも第１動作モードおよび第２動作モードを備えてい
る。前記第１動作モードおよび前記第２動作モードは、前記オゾン濃度および前記処理時間のうち、少なくとも一方が異なる。また、予め設定されている前記動作モードあるいは外部入力によって選択される前記動作モードを実行して消毒処理を行い、前記動作モードとして、第１〜第３動作モードを備えている。前記第１動作モードは、前記オゾン濃度および前記処理時間が、結核菌を消毒可能な第１オゾン濃度および第１処理時間の組み合わせからなり、前記温度が第１設定温度以下の高水準消毒モードである。前記第２動作モードは、前記オゾン濃度が前記第１オゾン濃度と同一の第２オゾン濃度、前記処理時間が前記第１処理時間よりも短い第２処理時間、前記温度が前記第１設定温度と同一あるいは異なる第２設定温度以下のクイック消毒モードである。前記第３動作モードは、前記オゾン濃度が前記第１オゾン濃度よりも低い第３オゾン濃度、前記処理時間が前記第２処理時間よりも長い第３処理時間、前記温度の調整が行われない標準消毒モードである。
【００２１】
ここで、前記高水準消毒モードでは、前記第１オゾン濃度が３ｐｐｍ、前記第１処理時間が５分、前記第１設定温度が２０℃であることが望ましい。前記クイック消毒モードでは、前記第２オゾン濃度が３ｐｐｍ、前記第２処理時間が５０秒、前記第２設定温度が２０℃であることが望ましい。前記標準消毒モードでは、前記第３オゾン濃度が０．５ｐｐｍ、前記第３処理時間が５分であることが望ましい。
【図面の簡単な説明】
【００２２】
【図１】本発明を適用したオゾン水内視鏡消毒機の正面側の外観斜視図および背面側の外観斜視図である。
【図２】図１のオゾン水内視鏡消毒機の概略構成図である。
【発明を実施するための形態】
【００２３】
以下に、図面を参照して、本発明の実施の形態を説明する。なお、以下の実施の形態は本発明を内視鏡を消毒するためのオゾン水内視鏡消毒機に適用したものである。本発明のオゾン水消毒機は内視鏡の消毒に限定されるものではなく、他の医療機器類、その他の器具類の消毒にも適用可能なことは勿論である。
【００２４】
図１（ａ）は本実施の形態に係るオゾン水内視鏡消毒機を示す正面側の外観斜視図であり、図１（ｂ）はその背面側の外観斜視図である。なお、図１（ｂ）においては、オゾン水内視鏡消毒機に外付けされている冷水ユニットおよびオゾン分解器の表示を省略してある。オゾン水内視鏡消毒機では、オゾン水を満たした消毒槽の内部に、消毒対象物である内視鏡を浸漬し、消毒槽内においてオゾン水を循環させると共に、オゾン水を内視鏡の内部を通して流すことにより、内視鏡の洗浄・消毒が行なわれる。
【００２５】
図１を参照して説明すると、オゾン水内視鏡消毒機１は、例えば、全体として縦長の直方体形状の外装ケース２を備えている。外装ケース２の上面には、後端縁を中心として上方に開けることのできる蓋３が取り付けられている。蓋３を開けると、外装ケース２の内部に配置されている消毒槽４が上方に開口し、消毒対象物である内視鏡５を、上方から消毒槽４に挿入して設置することが可能である。外装ケース２における消毒槽４の前面部分は透明な窓６となっており、前方から窓６を通して、消毒槽４内の状態を目視可能となっている。
【００２６】
外装ケース２の上面における蓋３の後側の部分には、操作入力・表示部としてのタッチパネル７が配置されている。タッチパネル７は、タッチパネル操作盤と状態表示用の液晶表示盤を兼用している。タッチパネル７に表示された作業内容にタッチすることにより、消毒等の処理が実行され、液晶表示盤には現在の作業の進行状態等が表示される。本例では、消毒処理の動作モードの選択ボタンが表示され、操作者が選択ボタンにタッチするこ
とにより、動作モードを選択可能である。タッチパネル７の側方には、消毒処理中に水が正常に流れているか否かを、目視により確認するための水流確認窓８が配置されている。
【００２７】
外装ケース２の背面の上側中央の部位には、電源スイッチ１１および電源インレット１２が並列配置されている。背面の上側部分における一方の端側の部位には、オゾン水生成のための原水として用いる水道水を供給するための給水口１４が配置されている。給水口１４の下側には冷水供給口１５が配置されている。冷水供給口１５には、オゾン水生成用の原水の温度調整（温度制御）のために用いる冷水が、冷水ユニット１６から供給される。冷水ユニット１６は水道水を冷却して冷水を生成して、内部に貯留する。
【００２８】
外装ケース２の背面における他方の端側の部位には、オゾン生成のために用いる酸素が供給される酸素供給口１７が配置されている。酸素供給口１７には、酸素ボンベ（図２参照）あるいは、病院内等においては院内酸素配管から酸素が供給される。背面の下方の側の部分には、消毒処理に使用した後のオゾン水を排出するための排水口１８が配置されている。消毒処理終了後に排水口１８から排出されるオゾン水はオゾン分解器１９を介して排出される。また、外装ケース２の背面における排水口とは反対側の部位には、排気口２０が形成されており、消毒槽４から出るオゾンガスが内蔵のオゾン分解ユニット（図２参照）を介して分解されて酸素ガスとなって排出される。
【００２９】
図２は、オゾン水内視鏡消毒機１を中心に構成されるオゾン水内視鏡消毒システムの概略構成図である。オゾン水内視鏡消毒機１の内部には、内視鏡５の洗浄・消毒を行う消毒槽４が配置されている。消毒槽４には、オゾン水生成ユニット２１からオゾン水２２が供給される。例えば、２０リットルの所定濃度のオゾン水が供給される。
【００３０】
オゾン水生成用の原水には、外部から供給される供給水、通常は水道水２３が用いられる。水道水２３は、給水口１４からフィルタ２４および開閉弁２５を介してオゾン水生成ユニット２１のオゾン水生成タンク２１ａに供給される。給水経路には、水道水２３の水温を検出するための水温計２７が取り付けられている。
【００３１】
また、水道水２３は冷水ユニット１６に供給され、予め設定されている設定温度、例えば２０℃よりも低温、例えば５℃の冷水２８に冷却されて冷水ユニット１６に貯留される。冷水ユニット１６から必要に応じて開閉弁２９を介して冷水２８がオゾン水生成タンク２１ａに供給可能である。
【００３２】
オゾン水生成タンク２１ａにおいては、水道水２３が設定温度よりも高い場合には、冷水ユニット１６から冷水２８が供給され、水道水２３と冷水２８が混合されて、設定温度のオゾン水生成用の原水が生成され、貯留される。水道水２３が設定温度よりも低い場合には冷水２８の供給は行われない。これにより、２０℃あるいはそれよりも低い温度のオゾン水生成用の原水がオゾン水生成タンク２１ａ内において生成される。
【００３３】
なお、本例では、消毒槽４内に供給されたオゾン水２２の温度を直接には制御していない。一般的に、オゾン水内視鏡消毒機１は院内等の環境温度が一定に保持される場所で使用される場合が殆どであり、消毒槽４に供給されたオゾン水温度が大幅に変動する可能性が極めて低い。よって、原水の水温を管理すれば、実質的に消毒槽４内のオゾン水温度を管理できる。勿論、消毒槽４内において直接に水温計等によってオゾン水の温度を検出して、温度制御を行うようにすることも可能である。
【００３４】
一方、オゾン水生成用のオゾンガス３１は、オゾナイザ３２によって生成されて、オゾン水生成ユニット２１のオゾン水生成タンク２１ａに供給される。オゾナイザ３２は、外部の酸素供給源である酸素ボンベ３３から酸素供給口１７を介して供給される酸素からオ
ゾンガスを生成する。
【００３５】
オゾン水生成ユニット２１のオゾン水生成タンク２１ａは、消毒槽４と略同程度の容量、例えば２０リットルのタンクである。オゾン水生成タンク２１ａに、設定温度の原水が溜まった後に、オゾナイザ３２からオゾンガス３１が注入される。これにより、原水にオゾンが溶け込み、所定濃度のオゾン水２２が生成される。
【００３６】
オゾン水生成タンク２１ａ内へのオゾンガス３１の注入量（注入時間）を制御することにより、オゾン水生成タンク２１ａ内のオゾン水２２のオゾン濃度が所定濃度となるように制御できる。
【００３７】
オゾン水生成タンク２１ａ内に設定濃度のオゾン水２２が生成されると、オゾン水２２は、オゾン水供給管３４および供給ポンプ３５を介して、消毒槽４に供給される。消毒槽４内には、予め、消毒対象物である内視鏡５が消毒槽４内のオゾン水２２に浸漬可能な状態にセットされる。
【００３８】
消毒処理においては、循環用配管３６および循環ポンプ３７を介して、消毒槽４内のオゾン水２２を循環させながら、内視鏡５の消毒を行う。なお、図示は省略してあるが、内視鏡５の内部にオゾン水２２を通すために、内視鏡５の送気送水口、鉗子口にチューブを接続し、これらのチューブを介して内視鏡５の内部を通してオゾン水が流れる。
【００３９】
消毒槽４を循環するオゾン水のオゾン濃度は、循環用配管３６に取り付けたオゾン水濃度計３８によって測定される。測定されたオゾン水２２のオゾン濃度が設定濃度よりも低い場合には、オゾナイザ３２から、オゾンガス供給用分岐管３９を介して、オゾンガス３１が供給される。これにより、オゾン水２２のオゾン濃度が設定濃度に維持される。また、消毒処理中において消毒槽４から排出されるオゾンガスは、オゾン分解ユニット４１を介して分解されて、酸素ガスとなって排気口２０から外部に排出される。
【００４０】
消毒処理が終了した後は、消毒槽４のオゾン水２２は、排水管４２およびオゾン分解器１９を介して所定の排水配管４３に排出可能となっている。オゾン分解器１９は、活性炭等のオゾン分解物が充填されており、排出されるオゾン水に含まれているオゾンを分解する。
【００４１】
ここで、上記の各部の駆動制御は、消毒機制御ユニット５０により行われる。例えば、消毒機制御ユニット５０はマイクロコンピュータを中心に構成されており、予めインストールされているプログラムを実行することにより、各部を駆動制御して、選択された動作モードによる消毒処理を実行するために、各種の動作を制御する。例えば、本例においては、高水準消毒モード５１（第１動作モード）、クイック消毒モード５２（第２動作モード）および標準消毒モード５３（第３動作モード）の３種類の動作モードが備わっている。
【００４２】
消毒機制御ユニット５０は、タッチパネル７にモード選択ボタン５１ａ、５２ａ、５３ａを表示する。操作者がモード選択ボタンのいずれかを操作すると、操作されたモード選択ボタンに対応する動作モードが消毒処理の動作モードとして設定される。消毒機制御ユニット５０は、選択された動作モードに従って消毒処理を実行する。
【００４３】
すなわち、選択された動作モードに従って、消毒機制御ユニット５０は、消毒槽４内のオゾン水２２のオゾン濃度を制御し、消毒槽４内での設定濃度のオゾン水による消毒処理を設定された処理時間に亘って行う。また、オゾン水の温度が設定されている動作モードの場合には、オゾン水生成タンク２１ａ内で生成される原水の温度、したがって生成され
るオゾン水２２の温度を設定水温以下となるように制御する。
【００４４】
（冷水ユニット）
次に、冷水ユニット１６は、本例では、オゾン水内視鏡消毒機１に外付けされるユニットであり、必要に応じて接続して使用可能である。冷水ユニット１６をオゾン水内視鏡消毒機１の内部に組み込むことも可能である。冷水ユニット１６は冷水タンク６１を備え、ここには、オゾン水生成用の原水として、水道水２３が給水管６２およびフィルタ６３を介して供給される。冷水タンク６１に貯留した原水を、循環ポンプ６４によって、チラー６５を介して循環させることにより、設定温度よりも低温、例えば５℃の冷水２８が冷水タンク６１内に得られる。
【００４５】
冷水ユニット１６は制御部６６を備えている。制御部６６は消毒機制御ユニット５０と連動して動作する。制御部６６は、冷水タンク６１に取り付けた液面センサ６７に基づき貯留水量を一定に制御可能である。また、冷水タンク６１に取り付けた水温計６８の測定値に基づき、冷水タンク６１内の冷水２８の温度を所定の温度、例えば５℃に制御可能である。冷水タンク６１は、オゾン水生成タンク２１ａに比べて少容量のタンクであり、例えば、１０リットルである。
【００４６】
（動作モードの例）
オゾン水内視鏡消毒機１には、先に述べたように、動作モードとして、第１動作モード、第２動作モードおよび第３動作モードが備わっている。本例では、第１動作モードは、オゾン水２２のオゾン濃度および処理時間が、結核菌を消毒可能な第１オゾン濃度および第１処理時間の組み合わせからなり、第１温度（オゾン水温度）が予め設定した第１設定温度以下とされた高水準消毒モード５１である。
【００４７】
これに対して、第２、第３動作モードは、第１動作モードに比べて消毒効果が低いが、一般的な消毒に用いられる動作モードである。これら第２、第３動作モードの消毒効果は同程度に設定される。すなわち、消毒効果はオゾン濃度と処理時間の積に対応するので、これらの積が同程度の値となるように設定されている。
【００４８】
これらのうち、第２動作モードは、オゾン濃度が第１オゾン濃度と同一の第２オゾン濃度、処理時間が第１処理時間よりも短い第２処理時間、第２温度（オゾン水温度）が予め設定した第２設定温度以下とされたクイック消毒モード５２である。すなわち、短時間処理のために、オゾン濃度を高めて処理時間を短くした動作モードである。第３動作モードは、標準的な動作モードであり、オゾン濃度が第１オゾン濃度よりも低い第３オゾン濃度、処理時間が第２処理時間よりも長い第３処理時間、オゾン水温度の調整（制御）が行われない標準消毒モードである。
【００４９】
さらに具体的に説明すると、以下の動作モード一覧表に示すように、本例の高水準消毒モード５１では、第１オゾン濃度が３ｐｐｍ、第１処理時間が５分、第１設定温度が２０℃である。クイック消毒モード５２では、第２オゾン濃度が３ｐｐｍ、第２処理時間が５０秒、第２設定温度が２０℃である。標準消毒モードでは、第３オゾン濃度が０．５ｐｐｍ、第３処理時間が５分である。
【００５０】
（動作モード一覧表）
動作モード名          オゾン濃度        処理時間      オゾン水温度制御
高水準消毒モード      ３ｐｐｍ          ５分          ２０℃以下
クイック消毒モード    ３ｐｐｍ          ５０秒        ２０℃以下
標準消毒モード        ０．５ｐｐｍ      ５分          制御無し
【００５１】
（消毒処理の動作例）
例えば、消毒処理の動作モードとして高水準消毒モード５１が選択された場合には、消毒機制御ユニット５０の制御の下に次のように各部が動作する。
【００５２】
この場合、消毒条件は、結核菌を消毒できるように、オゾン水濃度が３ｐｐｍ、処理時間が５分とされ、オゾン水温度が２０℃以下とされる。オゾン水内視鏡消毒機１に取り付けられている冷水ユニット１６は、例えば、電源スイッチ１１がオンされると、冷水生成動作を開始して、冷水タンク６１に例えば５℃の冷水を所定量だけ溜める。
【００５３】
消毒処理においては、消毒機制御ユニット５０は開閉弁２５を開き、オゾン水生成用の原水として、温度調整されていない水道水２３を、フィルタ２４を介して、オゾン水生成タンク２１ａに取り込む動作を開始する。また、水温計２７によって検出される水道水２３の温度に基づき、開閉弁２９を開閉制御して、冷水ユニット１６からの冷水２８の取り込み量を制御する。
【００５４】
夏場等のように、水道水２３の温度が設定温度（２０℃）よりも大幅に高い場合には、水道水２３に対する冷水２８の混合比を多くする。これに対して、水道水２３の温度が設定温度に対して僅かに高い場合には、水道水２３に対する冷水２８の混合比を少なくする。また、冬場等のように、水道水２３の温度が２０℃を下回る場合には、冷水２８の取り込みは行わない。
【００５５】
オゾン水生成タンク２１ａ内に所定量の温度調整された原水が溜まった時点から、オゾナイザ３２によって生成されるオゾンガス３１をオゾン水生成タンク２１ａ内に取り込み、原水にオゾンガスを溶解させて、オゾン水２２を生成する動作を行う。オゾンガス３１の注入量（注入時間）を制御することにより、オゾン水生成タンク２１ａ内のオゾン水２２の濃度を、設定濃度である３ｐｐｍ前後となるように制御することができる。
【００５６】
設定濃度のオゾン水２２が所定量生成された後は、消毒機制御ユニット５０は、オゾン水２２を、消毒対象の内視鏡５がセットされている消毒槽４に供給する。消毒槽４の側においては、循環ポンプ３７を駆動してオゾン水２２の循環を開始する。オゾン水濃度計３８によって計測されるオゾン水濃度が３ｐｐｍ未満の場合には、オゾナイザ３２からオゾンガス３１を消毒槽４に導入して、オゾン濃度を、設定濃度となるように調整する。オゾン濃度が３ｐｐｍに達した状態で、設定された処理時間（５分）に亘って、内視鏡５の消毒処理を行う。
【００５７】
内蔵タイマ等によって消毒処理の処理時間の５分が経過したことが検出されると、消毒処理を終了して、オゾン水２２を消毒槽４から排出する排出動作を行う。
【００５８】
以上説明したように、オゾン水内視鏡消毒機１は、消毒処理の動作モードとして、標準消毒モード５３に加えて、高水準消毒モード５１とクイック消毒モード５２を備えている。高水準消毒モードを選択することにより、結核菌も消毒可能な高水準消毒機として機能させることができる。高水準消毒が必要無い場合には、オゾン濃度の低い標準消毒モードを選択すれば、消毒対象物の内視鏡の材料劣化を抑制できる。クイック消毒モードを選択すれば、標準消毒モードに比べて１／５以内の短時間処理による消毒を行うことができる。
【００５９】
また、高濃度のオゾン水を用いる動作モード（高水準消毒モード、クイック消毒モード）においては、オゾン水の温度制御を行い、オゾン水の温度を２０℃以下に調整している。高濃度のオゾン水を、温度制御されていない高い温度の水道水を用いて生成する場合に比べて、短時間で生成できる。よって、内視鏡等の医療機器類の高水準消毒を、処理時間
を大幅に長くすることなく、効率良く、廉価な構成により行うことが可能になる。また、高濃度のオゾン水を用いた短時間処理が可能なクイック消毒を実現できる。
【００６０】
さらに、高濃度のオゾン水を用いる動作モードではオゾン水の温度が２０℃以下に制御されるので、高温のオゾン水に晒される消毒対象物が材料劣化するという弊害を抑制できる。
【００６１】
（その他の実施の形態）
上記の例では、３種類の動作モードが備わっている。動作モードの種類は、３種類に限定されるものではなく、２種類であってもよく、また、４種類以上であってもよい。
【００６２】
また、上記の例では、高水準消毒モードとクイック消毒モードにおけるオゾン濃度を同一としているが、異なるオゾン濃度とすることも可能である。同様に、高水準消毒モードと標準消毒モードにおける処理時間を同一としているが、異なる処理時間とすることも可能である。
【符号の説明】
【００６３】
１  オゾン水内視鏡消毒機、２  外装ケース、３  蓋、４  消毒槽、５  内視鏡、６  窓、７  タッチパネル、８  水流確認窓、１１  電源スイッチ、１２  電源インレット、１４  給水口、１５  冷水供給口、１６  冷水ユニット、１７  酸素供給口、１８  排水口、１９  オゾン分解器、２０  排気口、２１  オゾン水生成ユニット、２１ａ  オゾン水生成タンク、２２  オゾン水、２３  水道水、２４  フィルタ、２５  開閉弁、２７  水温計、２８  冷水、３１  オゾンガス、３２  オゾナイザ、３３  酸素ボンベ、３４  オゾン水供給管、３５  供給ポンプ、３６  循環用配管、３７  循環ポンプ、３８  オゾン水濃度計、３９  オゾンガス供給用分岐管、４１  オゾン分解ユニット、４３  排水配管、５０  消毒機制御ユニット、５１  高水準消毒モード、５２  クイック消毒モード、５３  標準消毒モード、５１ａ  モード選択ボタン、５１ｂ  モード選択ボタン、５１ｃ  モード選択ボタン、６１  冷水タンク、６２  給水管、６３  フィルタ、６４  循環ポンプ、６５  チラー、６６  制御部、６７  液面センサ、６８  水温計
【図１】
0006422766.tif 000002
【図２】
0006422766.tif 000003